(57)【要約】【課題】アナログ伝送装置から監視制御端末まで、監視制御信号を伝送する設備を設置することなく、アナログ伝送装置の運用状況や故障状況を監視することができる伝送システム及び状況監視方法を得ることを目的とする。【解決手段】デジタル伝送装置３が、光カプラ２１により分岐された他方のアナログ光信号における波長Ａの信号レベルと波長Ｂの信号レベルを検出し、波長Ａ，Ｂの信号レベルからアナログ伝送装置２におけるＥ／Ｏ部１２，１３の運用状況と故障状況を判別する状況判別部２７を備える。【選択図】図１
2010114728.tif 000002
【特許請求の範囲】
【請求項１】
アナログ電気信号を光信号に変換して、上記光信号を伝送するアナログ伝送装置と、デジタル電気信号を光信号に変換して、双方向にデジタル信号を送受信するデジタル伝送装置とを備え、上記アナログ伝送装置より出力された光信号を、デジタル伝送装置において送受信する双方向の光信号と波長多重して、複数の受信端末にアナログ／デジタル信号を分配する伝送システムにおいて、上記アナログ伝送装置は、上記電気信号を分岐する電気信号分岐手段と、上記電気信号分岐手段により分岐された一方の電気信号を第１の波長の光信号に変換する第１の電光変換手段と、上記電気信号分岐手段により分岐された他方の電気信号を第２の波長の光信号に変換する第２の電光変換手段と、上記第１の電光変換手段又は上記第２の電光変換手段により変換された光信号を伝送する光信号伝送手段とを備え、上記デジタル伝送装置は、上記アナログ伝送装置により伝送された光信号を分岐する光信号分岐手段と、上記光信号分岐手段により分岐された一方の光信号を複数の受信端末に分配する光信号分配手段と、上記光信号分岐手段により分岐された他方の光信号における第１の波長の信号レベルと第２の波長の信号レベルを検出する信号レベル検出手段と、上記信号レベル検出手段により検出された第１及び第２の波長の信号レベルから上記アナログ伝送装置における上記第１及び第２の電光変換手段の運用状況と故障状況を判別する状況判別手段とを備えていることを特徴とする伝送システム。
【請求項２】
アナログ電気信号を光信号に変換して、上記光信号を伝送するアナログ伝送装置と、デジタル電気信号を光信号に変換して、双方向にデジタル信号を送受信するデジタル伝送装置とを備え、上記アナログ伝送装置より出力された光信号をデジタル伝送装置において送受信する双方向の光信号と波長多重して、複数の受信端末にアナログ／デジタル信号を分配する伝送システムにおいて、上記アナログ伝送装置は、上記電気信号を分岐する電気信号分岐手段と、上記電気信号分岐手段により分岐された一方の電気信号に第１の周波数の信号を周波数多重して、周波数多重後の電気信号を光信号に変換する第１の電光変換手段と、上記電気信号分岐手段により分岐された他方の電気信号に第２の周波数の信号を周波数多重して、周波数多重後の電気信号を光信号に変換する第２の電光変換手段と、上記第１の電光変換手段又は上記第２の電光変換手段により変換された光信号を伝送する光信号伝送手段とを備え、上記デジタル伝送装置は、上記アナログ伝送装置により伝送された光信号を分岐する光信号分岐手段と、上記光信号分岐手段により分岐された一方の光信号を複数の受信端末に分配する光信号分配手段と、上記光信号分岐手段により分岐された他方の光信号を電気信号に変換し、上記電気信号における第１の周波数の信号レベルと第２の周波数の信号レベルを検出する信号レベル検出手段と、上記信号レベル検出手段により検出された第１及び第２の周波数の信号レベルから上記アナログ伝送装置における上記第１及び第２の電光変換手段の運用状況と故障状況を判別する状況判別手段とを備えていることを特徴とする伝送システム。
【請求項３】
少なくとも１以上のアナログ伝送装置の運用状況及び故障状況を監視している監視制御端末に対して、状況判別手段の判別結果を送信する判別結果送信手段をデジタル伝送装置に実装していることを特徴とする請求項１または請求項２記載の伝送システム。
【請求項４】
アナログ電気信号を光信号に変換して、上記光信号を伝送するアナログ伝送装置と、デジタル電気信号を光信号に変換して、双方向にデジタル信号を送受信するデジタル伝送装置とを備え、上記アナログ伝送装置より出力された光信号をデジタル伝送装置において送受信する双方向の光信号と波長多重して、複数の受信端末にアナログ／デジタル信号を分配する伝送システムにおいて、上記アナログ伝送装置の電気信号分岐手段が上記電気信号を分岐する電気信号分岐ステップと、上記アナログ伝送装置の第１の電光変換手段が上記電気信号分岐手段により分岐された一方の電気信号を第１の波長の光信号に変換し、上記アナログ伝送装置の第２の電光変換手段が上記電気信号分岐手段により分岐された他方の電気信号を第２の波長の光信号に変換する電光変換ステップと、上記アナログ伝送装置の光信号伝送手段が上記第１の電光変換手段又は上記第２の電光変換手段により変換された光信号を伝送する光信号伝送ステップと、上記デジタル伝送装置の光信号分岐手段が上記アナログ伝送装置により伝送された光信号を分岐する光信号分岐ステップと、上記デジタル伝送装置の信号レベル検出手段が上記光信号分岐手段により分岐された光信号における第１の波長の信号レベルと第２の波長の信号レベルを検出する信号レベル検出ステップと、上記デジタル伝送装置の状況判別手段が上記信号レベル検出手段により検出された第１及び第２の波長の信号レベルから上記アナログ伝送装置における上記第１及び第２の電光変換手段の運用状況と故障状況を判別する状況判別ステップとを備えていることを特徴とする状況監視方法。
【請求項５】
アナログ電気信号を光信号に変換して、上記光信号を伝送するアナログ伝送装置と、デジタル電気信号を光信号に変換して、双方向にデジタル信号を送受信するデジタル伝送装置とを備え、上記アナログ伝送装置より出力された光信号を、デジタル伝送装置において送受信する双方向の光信号と波長多重して、複数の受信端末にアナログ／デジタル信号を分配する伝送システムにおいて、上記アナログ伝送装置の電気信号分岐手段が上記電気信号を分岐する電気信号分岐ステップと、上記アナログ伝送装置の第１の電光変換手段が上記電気信号分岐手段により分岐された一方の電気信号に第１の周波数の信号を周波数多重して、周波数多重後の電気信号を光信号に変換し、上記アナログ伝送装置の第２の電光変換手段が上記電気信号分岐手段により分岐された他方の電気信号に第２の周波数の信号を周波数多重して、周波数多重後の電気信号を光信号に変換する電光変換ステップと、上記アナログ伝送装置の光信号伝送手段が上記第１の電光変換手段又は上記第２の電光変換手段により変換された光信号を伝送する光信号伝送ステップと、上記デジタル伝送装置の光信号分岐手段が上記アナログ伝送装置により伝送された光信号を分岐する光信号分岐ステップと、上記デジタル伝送装置の信号レベル検出手段が上記光信号分岐手段により分岐された光信号を電気信号に変換し、上記電気信号における第１の周波数の信号レベルと第２の周波数の信号レベルを検出する信号レベル検出ステップと、上記デジタル伝送装置の状況判別手段が上記信号レベル検出手段により検出された第１及び第２の周波数の信号レベルから上記アナログ伝送装置における上記第１及び第２の電光変換手段の運用状況と故障状況を判別する状況判別ステップとを備えていることを特徴とする状況監視方法。
【発明の詳細な説明】
【技術分野】
【０００１】
この発明は、アナログ伝送装置とデジタル伝送装置が融合している伝送システムと、アナログ伝送装置の運用状況及び故障状況を監視する状況監視方法とに関するものである。
【背景技術】
【０００２】
例えば、以下の特許文献１には、ＲＦ信号（例えば、映像／携帯などの無線通信信号）を光に変調することで、エンドユーザや無感地帯に配信する伝送システムが開示されている。
図３は従来の一般的な伝送システムを示す構成図である。
【０００３】
アナログ伝送装置１０２の電気スプリッタ１１１は、アンテナ／無線受信モジュール１０１がアナログ信号であるＲＦ信号を受信すると、そのＲＦ信号をＥ／Ｏ部１１２，１１３に分岐する。
アナログ伝送装置１０２のＥ／Ｏ部１１２は、現在、運用されている状態であれば、電気スプリッタ１１１からＲＦ信号を受けると、そのＲＦ信号をアナログ光信号に変換して、そのアナログ光信号を光路切替部１１６に出力する。
また、アナログ伝送装置２のＥ／Ｏ部１１３も、現在、運用されている状態であれば、電気スプリッタ１１１からＲＦ信号を受けると、そのＲＦ信号をアナログ光信号に変換して、そのアナログ光信号を光路切替部１１６に出力する。
ただし、図３では、Ｅ／Ｏ部１１２が現用系、Ｅ／Ｏ部１１３が予備系である例を示している。
【０００４】
ここで、Ｅ／Ｏ部１１２，１１３は、一般的に、光素子であるレーザダイオードを実装しており、レーザダイオードを駆動することで光信号を出力するが、レーザダイオードは故障率が高いため、現用系と予備系を設置する冗長構成がとられている。冗長構成されているＥ／Ｏ部１１２，１１３は、ＲＦ信号を同一波長の光信号に変換する。波長は、一般的には、１５５０ｎｍ帯（波長１）が用いられる。
光路切替部１１６は、一般的には光スイッチ又は１：２光カプラである。
光路切替部１１６が光スイッチである場合、Ｅ／Ｏ部１１２，１１３が予備系の状態では、電源がＯＮされて光っている状態でスタンバイしている必要がある。
光路切替部１１６が１：２光カプラである場合、Ｅ／Ｏ部１１２，１１３が予備系の状態では、電源がＯＦＦされて光が出ない状態でスタンバイしている必要がある。
【０００５】
アナログ伝送装置１０２の系切替制御部１１４は、Ｅ／Ｏ部１１２，１１３に実装されているレーザダイオードの出力レベル、駆動電流、温度などを監視し、少なくとも１項目に異常があれば、Ｅ／Ｏ部１１２，１１３の系切替を行う。
例えば、Ｅ／Ｏ部１１２を現用系として使用しているとき、Ｅ／Ｏ部１１２に異常があれば、Ｅ／Ｏ部１１２からアナログ光信号が出力されないようにし、予備系であるＥ／Ｏ部１１３を現用系にして、Ｅ／Ｏ部１１３からアナログ光信号が光路切替部１１６に出力されるように制御する。
アナログ伝送装置１０２の監視制御ＩＦ１１５は、系切替制御部１１４による系切替の状況や、Ｅ／Ｏ部１１２，１１３の故障状況などをネットワーク網１０７経由で監視制御端末１０８に送信する。
あるいは、デジタル伝送装置１０３の監視制御ＩＦ１２４を介して、ネットワーク網１０７経由で監視制御端末１０８に送信する。
【０００６】
アナログ伝送装置１０２の光路切替部１１６は、Ｅ／Ｏ部１１２又はＥ／Ｏ部１１３により変換されたアナログ光信号をデジタル伝送装置１０３に伝送する。
デジタル伝送装置１０３のＷＤＭカプラ１２１は、アナログ伝送装置１０２から伝送されたアナログ光信号を受信し、デジタル送受信部１２３が情報通信系アプリケーション１０５から送信されたデジタル光信号（波長２：１４９０ｎｍ帯）を受信すると、双方の光信号を波長分割多重（ＷＤＭ）して、波長分割多重後の光信号を光スプリッタ１２２に出力する。
デジタル伝送装置１０３の光スプリッタ１２２は、ＷＤＭカプラ１２１から光信号を受けると、その光信号をＮ個に分配して、Ｎ個の受信端末１０４に配信する。
【０００７】
受信端末１０４のＷＤＭカプラ１３１は、デジタル伝送装置１０３から配信された光信号を受信すると、その光信号を波長分離して、アナログ光信号をＯ／Ｅ部１３２に出力し、デジタル光信号をデジタル送受信部１３３に出力する。
受信端末１０４のＯ／Ｅ部１３２は、ＷＤＭカプラ１３１からアナログ光信号を受けると、そのアナログ光信号を電気信号であるＲＦ信号に変換し、そのＲＦ信号を無線系アプリケーション１０６に供給する。
受信端末１０４のデジタル送受信部１３３は、ＷＤＭカプラ１３１からデジタル光信号を受けると、そのデジタル光信号を情報通信系アプリケーション１０５に送信する。
【０００８】
図３の伝送システムについて、実際に設置される場所を考えると、図４に示すように、アナログ伝送装置１０２は、アンテナ／無線受信モジュール１０１の近くに設置されるため、ビルの屋上や鉄塔など、通常、人間が出入りしないような場所に設置されることが多い。
このため、品質保持のために、Ｅ／Ｏ部１１２，１１３を二重化して冗長構成とし、また、遠隔監視制御を実施している。
この遠隔監視制御を実施するための監視制御信号は、アナログ伝送装置１０２からネットワーク網１０７経由で監視制御端末１０８に送信されるが、デジタル信号であるため、一旦、デジタル伝送装置１０３に集約されたのち、ネットワーク網１０７を介して、監視制御端末１０８に転送されることが多い。
【０００９】
【特許文献１】特許第３８１１３３２号広報
【発明の開示】
【発明が解決しようとする課題】
【００１０】
従来の伝送システムは以上のように構成されているので、アナログ伝送装置１０２とデジタル伝送装置１０３が必ずしも同一機械室、もしくは、同一ビル内に設置される訳ではなく、離れて設置される場合がある。このような場合、アナログ伝送装置１０２から監視制御端末１０８まで、監視制御信号を伝送する設備やネットワークを構築する必要があり、設備コストが高くなってしまうなどの課題があった。
【００１１】
この発明は上記のような課題を解決するためになされたもので、アナログ伝送装置から監視制御端末まで、監視制御信号を伝送する設備を設置することなく、アナログ伝送装置の運用状況や故障状況を監視することができる伝送システム及び状況監視方法を得ることを目的とする。
【課題を解決するための手段】
【００１２】
この発明に係る伝送システムは、アナログ伝送装置が、電気信号分岐手段により分岐された一方の電気信号を第１の波長の光信号に変換する第１の電光変換手段と、電気信号分岐手段により分岐された他方の電気信号を第２の波長の光信号に変換する第２の電光変換手段とを備え、デジタル伝送装置が、光信号分岐手段により分岐された他方の光信号における第１の波長の信号レベルと第２の波長の信号レベルを検出する信号レベル検出手段と、信号レベル検出手段により検出された第１及び第２の波長の信号レベルからアナログ伝送装置における第１及び第２の電光変換手段の運用状況と故障状況を判別する状況判別手段とを備えるようにしたものである。
【発明の効果】
【００１３】
この発明によれば、アナログ伝送装置が、電気信号分岐手段により分岐された一方の電気信号を第１の波長の光信号に変換する第１の電光変換手段と、電気信号分岐手段により分岐された他方の電気信号を第２の波長の光信号に変換する第２の電光変換手段とを備え、デジタル伝送装置が、光信号分岐手段により分岐された他方の光信号における第１の波長の信号レベルと第２の波長の信号レベルを検出する信号レベル検出手段と、信号レベル検出手段により検出された第１及び第２の波長の信号レベルからアナログ伝送装置における第１及び第２の電光変換手段の運用状況と故障状況を判別する状況判別手段とを備えるように構成したので、アナログ伝送装置から監視制御端末まで、監視制御信号を伝送する設備を設置することなく、アナログ伝送装置の運用状況や故障状況を監視することができる効果がある。
【発明を実施するための最良の形態】
【００１４】
実施の形態１．
図１はこの発明の実施の形態１による伝送システムを示す構成図であり、図において、アンテナ／無線受信モジュール１はアンテナ１ａ，バンドパスフィルタ１ｂ及びアンプ１ｃから構成されており、アナログ信号であるＲＦ信号（電気信号：例えば、映像／携帯などの無線通信信号）を受信する処理を実施する。
アナログ伝送装置２は例えば建物の屋上や軒下などの屋外に設置され、アンテナ／無線受信モジュール１により受信されたＲＦ信号をアナログ光信号に変換して、そのアナログ光信号を伝送する装置である。
【００１５】
デジタル伝送装置３は例えば建物の機械室などの屋内に設置され、アナログ伝送装置２により伝送されたアナログ光信号と、情報通信系アプリケーション５から送信されたデジタル光信号とを波長分割多重（ＷＤＭ）して、波長分割多重後の光信号をＮ個の受信端末４に分配する装置である。
受信端末４はデジタル伝送装置３から配信された光信号を波長分離して、アナログ光信号をＲＦ信号に変換して無線系アプリケーション６に供給するとともに、デジタル光信号を情報通信系アプリケーション５に送信する装置である。
【００１６】
情報通信系アプリケーション５はシステム監視データや通信データの送受信処理を実施するアプリケーションである。
無線系アプリケーション６は例えば映像の表示などを行うアプリケーションである。
ネットワーク網７は例えばイーサネット（登録商標）やインターネットなどのネットワークである。
監視制御端末８は少なくとも１以上のアナログ伝送装置２の運用状況及び故障状況を監視している端末である。
【００１７】
アナログ伝送装置２の電気スプリッタ１１はアンテナ／無線受信モジュール１により受信されたＲＦ信号をＥ／Ｏ部１２，１３に分岐する処理を実施する。なお、電気スプリッタ１１は電気信号分岐手段を構成している。
Ｅ／Ｏ部１２は電気スプリッタ１１により分岐された一方のＲＦ信号を波長Ａ（第１の波長）のアナログ光信号に変換する処理を実施する。なお、Ｅ／Ｏ部１２は第１の電光変換手段を構成している。
Ｅ／Ｏ部１３は電気スプリッタ１１により分岐された他方のＲＦ信号を波長Ｂ（第２の波長）のアナログ光信号に変換する処理を実施する。なお、Ｅ／Ｏ部１３は第２の電光変換手段を構成している。
【００１８】
系切替制御部１４はＥ／Ｏ部１２，１３に実装されているレーザダイオードの出力レベル、駆動電流、温度などを監視して、少なくとも１項目に異常があれば、Ｅ／Ｏ部１２，１３の系切替を行う。
即ち、系切替制御部１４はＥ／Ｏ部１２，１３のうち、異常が発生していないと思われる方のＥ／Ｏ部からアナログ光信号が光路切替部１５に出力されるように制御する。
光路切替部１５はＥ／Ｏ部１２から出力された波長Ａのアナログ光信号又はＥ／Ｏ部１３から出力された波長Ｂのアナログ光信号をデジタル伝送装置３に伝送する処理を実施する。
なお、系切替制御部１４及び光路切替部１５から光信号伝送手段が構成されている。
【００１９】
デジタル伝送装置３の光カプラ２１はアナログ伝送装置２により伝送されたアナログ光信号をＷＤＭカプラ２２と光カプラ２４に分岐する処理を実施する。なお、光カプラ２１は光信号分岐手段を構成している。
ＷＤＭカプラ２２は光カプラ２１により分岐された一方のアナログ光信号と、デジタル送受信部２８により受信されたデジタル光信号とを波長分割多重（ＷＤＭ）して、波長分割多重後の光信号を光スプリッタ２３に出力する処理を実施する。
光スプリッタ２３はＷＤＭカプラ２２から出力された光信号をＮ個に分配して、Ｎ個の受信端末４に配信する処理を実施する。なお、光スプリッタ２３は光信号分配手段を構成している。
【００２０】
光カプラ２４は光カプラ２１により分岐された他方のアナログ光信号を光フィルタ２５，２６に分岐する処理を実施する。
光フィルタ２５は光カプラ２２により分岐された一方のアナログ光信号のうち、波長Ａの光信号のみを通過させて、他の波長の光信号の通過を阻止するフィルタである。
光フィルタ２６は光カプラ２２により分岐された他方のアナログ光信号のうち、波長Ｂの光信号のみを通過させて、他の波長の光信号の通過を阻止するフィルタである。
状況判別部２７は光フィルタ２５を通過してきた波長Ａの光信号の信号レベルと光フィルタ２６を通過してきた波長Ｂの光信号の信号レベルとを検出し、波長Ａの光信号の信号レベルと波長Ｂの光信号の信号レベルからアナログ伝送装置２におけるＥ／Ｏ部１２，１３の運用状況と故障状況を判別する処理を実施する。
なお、光カプラ２４、光フィルタ２５，２６及び状況判別部２７から信号レベル検出手段が構成され、状況判別部２７から状況判別手段が構成されている。
【００２１】
デジタル送受信部２８はデジタル光信号（波長２：１４９０ｎｍ帯、波長３：１３１０ｎｍ帯）を送受信する処理を実施する。
監視制御ＩＦ２９は状況判別部２７の判別結果を示す監視制御信号をネットワーク網７経由で監視制御端末８に送信する処理を実施する。なお、監視制御ＩＦ２９は判別結果送信手段を構成している。
【００２２】
受信端末４のＷＤＭカプラ３１はデジタル伝送装置３から配信された光信号を波長分離して、アナログ光信号をＯ／Ｅ部３２に出力し、デジタル光信号をデジタル送受信部３３に出力する処理を実施する。
Ｏ／Ｅ部３２はＷＤＭカプラ３１から出力されたアナログ光信号を電気信号であるＲＦ信号に変換し、そのＲＦ信号を無線系アプリケーション６に供給する処理を実施する。
デジタル送受信部３３はＷＤＭカプラ３１から出力されたデジタル光信号を情報通信系アプリケーション５に送信する処理を実施する。
【００２３】
次に動作について説明する。
アナログ伝送装置２の電気スプリッタ１１は、アンテナ／無線受信モジュール１がアナログ信号であるＲＦ信号を受信すると、そのＲＦ信号をＥ／Ｏ部１２，１３に分岐する。
アナログ伝送装置２のＥ／Ｏ部１２は、現在、運用されている状態であれば、電気スプリッタ１１からＲＦ信号を受けると、そのＲＦ信号を波長Ａのアナログ光信号に変換して、波長Ａのアナログ光信号を光路切替部１５に出力する。
また、アナログ伝送装置２のＥ／Ｏ部１３も、現在、運用されている状態であれば、電気スプリッタ１１からＲＦ信号を受けると、そのＲＦ信号を波長Ｂのアナログ光信号に変換して、波長Ｂのアナログ光信号を光路切替部１５に出力する。
ただし、図１では、Ｅ／Ｏ部１２が現用系、Ｅ／Ｏ部１３が予備系である例を示している。
【００２４】
ここで、波長Ａ，Ｂは、例えば１５５０ｎｍ帯（１５４０ｎｍ〜１５６０ｎｍ）の１０ｎｍの範囲内で任意の２波長として選択される。
この波長帯域は、Ｃバンドと呼ばれ、ＤＷＤＭ（高密度波長分割多重）などによく用いられる波長帯であり、入手性や低コストを実現することができる。
なお、Ｅ／Ｏ部１２，１３は、一般的に、光素子であるレーザダイオードを実装しており、レーザダイオードを駆動することで光信号を出力するが、レーザダイオードは故障率が高いため、現用系と予備系を設置する冗長構成がとられている。
【００２５】
光路切替部１５は、一般的には光スイッチ又は１：２光カプラである。
光路切替部１５が光スイッチである場合、Ｅ／Ｏ部１２，１３が予備系の状態では、電源がＯＮされて光っている状態でスタンバイしている必要がある。
光路切替部１５が１：２光カプラである場合、Ｅ／Ｏ部１２，１３が予備系の状態では、電源がＯＦＦされて光が出ない状態でスタンバイしている必要がある。
【００２６】
系切替制御部１４は、Ｅ／Ｏ部１２，１３に実装されているレーザダイオードの出力レベル、駆動電流、温度などを監視し、少なくとも１項目に異常があれば、Ｅ／Ｏ部１２，１３の系切替を行う。
即ち、系切替制御部１４は、Ｅ／Ｏ部１２，１３のうち、異常が発生していないと思われる方のＥ／Ｏ部からアナログ光信号が光路切替部１５に出力されるように制御する。
例えば、Ｅ／Ｏ部１２を現用系として使用しているとき、Ｅ／Ｏ部１２に異常があれば、Ｅ／Ｏ部１２からアナログ光信号が出力されないようにし、予備系であるＥ／Ｏ部１３を現用系にして、Ｅ／Ｏ部１３からアナログ光信号が光路切替部１５に出力されるように制御する。
光路切替部１５は、Ｅ／Ｏ部１２から出力された波長Ａのアナログ光信号又はＥ／Ｏ部１３から出力された波長Ｂのアナログ光信号をデジタル伝送装置３に伝送する。
【００２７】
デジタル伝送装置３の光カプラ２１は、アナログ伝送装置２から伝送されたアナログ光信号を受信すると、そのアナログ光信号をＷＤＭカプラ２２と光カプラ２４に分岐する。
光カプラ２１におけるアナログ光信号の分岐比率は、例えば、１：１００程度の分岐比（モニタ系１％、主信号系９９％）であれば、状況判別部２７などのモニタ系において、十分モニタすることが可能である。この場合、主信号系の損失は、１％程度であり、ほとんど影響しない。
【００２８】
デジタル送受信部２８は、情報通信系アプリケーション１０５から送信されるデジタル光信号を受信する。
ＷＤＭカプラ１２１は、光カプラ２１からアナログ光信号を受け、デジタル送受信部２８からデジタル光信号を受けると、そのアナログ光信号とデジタル光信号を波長分割多重（ＷＤＭ）して、波長分割多重後の光信号を光スプリッタ２３に出力する。
光スプリッタ２３は、ＷＤＭカプラ２２から波長分割多重後の光信号を受けると、その光信号をＮ個に分配して、Ｎ個の受信端末４に配信する。
【００２９】
受信端末４のＷＤＭカプラ３１は、デジタル伝送装置３から配信された光信号を受信すると、その光信号を波長分離して、アナログ光信号をＯ／Ｅ部３２に出力し、デジタル光信号をデジタル送受信部３３に出力する。
受信端末４のＯ／Ｅ部３２は、ＷＤＭカプラ３１からアナログ光信号を受けると、そのアナログ光信号を電気信号であるＲＦ信号に変換し、そのＲＦ信号を無線系アプリケーション６に供給する。
受信端末４のデジタル送受信部３３は、ＷＤＭカプラ３１からデジタル光信号を受けると、そのデジタル光信号を情報通信系アプリケーション５に送信する。
【００３０】
デジタル伝送装置３のモニタ系である光カプラ２４は、光カプラ２１からアナログ光信号を受けると、そのアナログ光信号を光フィルタ２５，２６に２分岐する。
光フィルタ２５は、光カプラ２２により２分岐されたアナログ光信号を受けると、波長Ａの光信号のみを通過させて、他の波長の光信号の通過を阻止する。
光フィルタ２６は、光カプラ２２により２分岐されたアナログ光信号を受けると、波長Ｂの光信号のみを通過させて、他の波長の光信号の通過を阻止する。
ここでは、２つの光フィルタ２５，２６を用いて、波長Ａ，Ｂの光信号をフィルタリングしているが、２波長のフィルタリングが可能な３ポート薄膜フィルタデバイスを用いるようにしてもよい。
【００３１】
状況判別部２７は、例えば、フォトダイオードなどの検出回路を実装しており、その検出回路を用いて、光フィルタ２５を通過してきた波長Ａの光信号の信号レベルを検出するとともに、光フィルタ２６を通過してきた波長Ｂの光信号の信号レベルを検出する。
状況判別部２７は、波長Ａの光信号の信号レベルと波長Ｂの光信号の信号レベルからアナログ伝送装置２におけるＥ／Ｏ部１２，１３の運用状況と故障状況を判別する。
具体的には、以下のように、運用状況と故障状況を判別する。
【００３２】
波長Ａの光信号の信号レベルが予め設定されている基準レベルより高く、波長Ｂの光信号の信号レベルが略ゼロである場合、現用系による運用状態（図１の例では、Ｅ／Ｏ部１２が使用されている状態）であると判断する。
逆に、波長Ｂの光信号の信号レベルが予め設定されている基準レベルより高く、波長Ａの光信号の信号レベルが略ゼロである場合、予備系による運用状態（図１の例では、Ｅ／Ｏ部１３が使用されている状態）であると判断する。
【００３３】
波長Ａの光信号の信号レベルと波長Ｂの光信号の信号レベルの双方が、予め設定されている基準レベルより高い場合、通常の制御ではあり得ないケースであるため、制御系の異常又はアナログ伝送装置２に故障が発生していると判断する。
波長Ａの光信号の信号レベルと波長Ｂの光信号の信号レベルの双方が、予め設定されている基準レベルより低い場合、Ｅ／Ｏ部１２，１３の双方が故障、あるいは、アナログ伝送装置２の電源が“断”していると判断する。
【００３４】
監視制御ＩＦ２９は、状況判別部２７がアナログ伝送装置２におけるＥ／Ｏ部１２，１３の運用状況と故障状況を判別すると、その判別結果を示す監視制御信号をネットワーク網７経由で監視制御端末８に送信する。
【００３５】
以上で明らかなように、この実施の形態１によれば、アナログ伝送装置２が、電気スプリッタ１１により分岐された一方のＲＦ信号を波長Ａのアナログ光信号に変換するＥ／Ｏ部１２と、電気スプリッタ１１により分岐された他方のＲＦ信号を波長Ｂのアナログ光信号に変換するＥ／Ｏ部１３とを備え、デジタル伝送装置３が、光カプラ２１により分岐された他方のアナログ光信号における波長Ａの信号レベルと波長Ｂの信号レベルを検出し、波長Ａ，Ｂの信号レベルからアナログ伝送装置２におけるＥ／Ｏ部１２，１３の運用状況と故障状況を判別する状況判別部２７とを備えるように構成したので、アナログ伝送装置２から監視制御端末８まで、監視制御信号を伝送する設備を設置することなく、アナログ伝送装置２の運用状況や故障状況を監視することができる効果を奏する。
即ち、従来例のように、アナログ伝送装置２から監視制御端末８まで、監視制御信号を送信する専用の通信設備を設置する必要がなく、また、監視制御ＩＦをアナログ伝送装置２に実装する必要がないので、設備コストと装置コストを削減することができる。
【００３６】
実施の形態２．
図２はこの発明の実施の形態２による伝送システムを示す構成図であり、図において、図１と同一符号は同一又は相当部分を示すので説明を省略する。
トーン信号発生部４１は周波数Ｆ１（第１の周波数）のトーン信号を発生する処理を実施する。
加算部４２は電気スプリッタ１１により分岐された一方のＲＦ信号にトーン信号発生部４１から発生された周波数Ｆ１のトーン信号を周波数多重する処理を実施する。
Ｅ／Ｏ部４３は加算部４２により周波数Ｆ１のトーン信号が周波数多重されているＲＦ信号をアナログ光信号に変換する処理を実施する。
なお、トーン信号発生部４１、加算部４２及びＥ／Ｏ部４３から第１の電光変換手段が構成されている。
【００３７】
トーン信号発生部４４はトーン信号発生部４１から発生されるトーン信号の周波数Ｆ１と異なる周波数Ｆ２（第２の周波数）のトーン信号を発生する処理を実施する。
加算部４５は電気スプリッタ１１により分岐された他方のＲＦ信号にトーン信号発生部４４から発生された周波数Ｆ２のトーン信号を周波数多重する処理を実施する。
Ｅ／Ｏ部４６は加算部４５により周波数Ｆ２のトーン信号が周波数多重されているＲＦ信号をアナログ光信号に変換する処理を実施する。
なお、トーン信号発生部４４、加算部４５及びＥ／Ｏ部４６から第２の電光変換手段が構成されている。
【００３８】
光カプラ５１はアナログ伝送装置２により伝送されたアナログ光信号をＷＤＭカプラ２２とフォトダイオード５２に分岐する処理を実施する。なお、光カプラ５１は光信号分岐手段を構成している。
光／電気変換素子であるフォトダイオード５２は光カプラ５１により分岐されたアナログ光信号を電気信号に変換する処理を実施する。
バンドパスフィルタ５３はフォトダイオード５２から出力された電気信号に周波数多重されている周波数Ｆ１の信号のみを通過させて、その他の周波数の信号の通過を阻止するフィルタである。
バンドパスフィルタ５４はフォトダイオード５２から出力された電気信号に周波数多重されている周波数Ｆ２の信号のみを通過させて、その他の周波数の信号の通過を阻止するフィルタである。
【００３９】
状況判別部５５はバンドパスフィルタ５３を通過してきた周波数Ｆ１の信号の信号レベルとバンドパスフィルタ５４を通過してきた周波数Ｆ２の信号の信号レベルとを検出し、周波数Ｆ１の信号の信号レベルと周波数Ｆ２の信号の信号レベルからアナログ伝送装置２におけるＥ／Ｏ部４３，４６の運用状況と故障状況を判別する処理を実施する。
なお、光カプラ５２、バンドパスフィルタ５３，５４及び状況判別部５５から信号レベル検出手段が構成され、状況判別部５５から状況判別手段が構成されている。
【００４０】
次に動作について説明する。
アナログ伝送装置２の電気スプリッタ１１は、アンテナ／無線受信モジュール１がアナログ信号であるＲＦ信号を受信すると、そのＲＦ信号を加算部４２，４５に分岐する。
加算部４２は、電気スプリッタ１１からＲＦ信号を受けると、そのＲＦ信号にトーン信号発生部４１から発生された周波数Ｆ１のトーン信号を周波数多重する。
Ｅ／Ｏ部４３は、現在、運用されている状態であれば、加算部４２により周波数Ｆ１のトーン信号が周波数多重されているＲＦ信号をアナログ光信号に変換して、周波数多重後のアナログ光信号を光路切替部１５に出力する。
【００４１】
加算部４５は、電気スプリッタ１１からＲＦ信号を受けると、そのＲＦ信号にトーン信号発生部４４から発生された周波数Ｆ２のトーン信号を周波数多重する。
Ｅ／Ｏ部４６は、現在、運用されている状態であれば、加算部４５により周波数Ｆ２のトーン信号が周波数多重されているＲＦ信号をアナログ光信号に変換して、周波数多重後のアナログ光信号を光路切替部１５に出力する。
ただし、図２では、Ｅ／Ｏ部４３が現用系、Ｅ／Ｏ部４６が予備系である例を示している。
【００４２】
ここで、Ｅ／Ｏ部４３，４６は、一般的に、光素子であるレーザダイオードを実装しており、レーザダイオードを駆動することで光信号を出力するが、レーザダイオードは故障率が高いため、現用系と予備系を設置する冗長構成がとられている。冗長構成されているＥ／Ｏ部４３，４６は、ＲＦ信号を同一波長の光信号に変換する。波長は、一般的には、１５５０ｎｍ帯（波長１）が用いられる。
【００４３】
系切替制御部１４は、上記実施の形態１と同様に、Ｅ／Ｏ部４３，４６に実装されているレーザダイオードの出力レベル、駆動電流、温度などを監視し、少なくとも１項目に異常があれば、Ｅ／Ｏ部４３，３６の系切替を行う。
光路切替部１５は、Ｅ／Ｏ部４３から出力された周波数Ｆ１のトーン信号が周波数多重されているアナログ光信号又はＥ／Ｏ部４６から出力された周波数Ｆ２のトーン信号が周波数多重されているアナログ光信号をデジタル伝送装置３に伝送する。
【００４４】
デジタル伝送装置３の光カプラ５１は、アナログ伝送装置２から伝送されたアナログ光信号を受信すると、そのアナログ光信号をＷＤＭカプラ２２と光カプラ５１に分岐する。
光カプラ５１におけるアナログ光信号の分岐比率は、例えば、１：１００程度の分岐比（モニタ系１％、主信号系９９％）であれば、状況判別部５５などのモニタ系において、十分モニタすることが可能である。この場合、主信号系の損失は、１％程度であり、ほとんど影響しない。
【００４５】
フォトダイオード５２は、光カプラ５１からアナログ光信号を受けると、そのアナログ光信号を電気信号に変換する。
バンドパスフィルタ５３は、フォトダイオード５２がアナログ光信号を電気信号に変換すると、その電気信号に周波数多重されている周波数Ｆ１の信号のみを通過させて、その他の周波数の信号の通過を阻止する。
また、バンドパスフィルタ５４は、フォトダイオード５２がアナログ光信号を電気信号に変換すると、その電気信号に周波数多重されている周波数Ｆ２の信号のみを通過させて、その他の周波数の信号の通過を阻止する。
ここでは、バンドパスフィルタ５３，５４を用いて、周波数Ｆ１，Ｆ２の信号をフィルタリングしているが、例えば、ＦＭ／ＦＳＫなどの周波数変調信号を復調するデバイスを用いて、周波数Ｆ１，Ｆ２の信号を検出するようにしてもよい。
【００４６】
状況判別部５５は、バンドパスフィルタ５３を通過してきた周波数Ｆ１の信号の信号レベルと、バンドパスフィルタ５４を通過してきた周波数Ｆ２の信号の信号レベルとを検出する。
状況判別部５５は、周波数Ｆ１の信号の信号レベルと周波数Ｆ２の信号の信号レベルからアナログ伝送装置２におけるＥ／Ｏ部４３，４６の運用状況と故障状況を判別する。
具体的には、以下のように、運用状況と故障状況を判別する。
【００４７】
周波数Ｆ１の信号の信号レベルが予め設定されている基準レベルより高く、周波数Ｆ２の信号の信号レベルが略ゼロである場合、現用系による運用状態（図２の例では、Ｅ／Ｏ部４３が使用されている状態）であると判断する。
逆に、周波数Ｆ２の信号の信号レベルが予め設定されている基準レベルより高く、周波数Ｆ１の信号の信号レベルが略ゼロである場合、予備系による運用状態（図２の例では、Ｅ／Ｏ部４６が使用されている状態）であると判断する。
【００４８】
周波数Ｆ１の信号の信号レベルと周波数Ｆ２の信号の信号レベルの双方が、予め設定されている基準レベルより高い場合、通常の制御ではあり得ないケースであるため、制御系の異常又はアナログ伝送装置２に故障が発生していると判断する。
周波数Ｆ１の信号の信号レベルと周波数Ｆ２の信号の信号レベルの双方が、予め設定されている基準レベルより低い場合、Ｅ／Ｏ部４３，４６の双方が故障、あるいは、アナログ伝送装置２の電源が“断”していると判断する。
【００４９】
監視制御ＩＦ２９は、状況判別部５５がアナログ伝送装置２におけるＥ／Ｏ部４３，４６の運用状況と故障状況を判別すると、上記実施の形態１と同様に、その判別結果を示す監視制御信号をネットワーク網７経由で監視制御端末８に送信する。
【００５０】
以上で明らかなように、この実施の形態２によれば、アナログ伝送装置２が、電気スプリッタ１１により分岐された一方のＲＦ信号に周波数Ｆ１の信号を周波数多重する加算部４２と、加算部４２により周波数Ｆ１のトーン信号が周波数多重されているＲＦ信号をアナログ光信号に変換するＥ／Ｏ部４３と、電気スプリッタ１１により分岐された他方のＲＦ信号に周波数Ｆ２の信号を周波数多重する加算部４５と、加算部４５により周波数Ｆ２のトーン信号が周波数多重されているＲＦ信号をアナログ光信号に変換するＥ／Ｏ部４６とを備え、デジタル伝送装置３が、光カプラ５１により分岐された他方のアナログ光信号を電気信号に変換するフォトダイオード５２と、その電気信号における周波数Ｆ１の信号レベルと周波数Ｆ２の信号レベルを検出し、周波数Ｆ１，Ｆ２の信号レベルからアナログ伝送装置２におけるＥ／Ｏ部４３，４６の運用状況と故障状況を判別する状況判別部５５とを備えるように構成したので、アナログ伝送装置２から監視制御端末８まで、監視制御信号を伝送する設備を設置することなく、アナログ伝送装置２の運用状況や故障状況を監視することができる効果を奏する。
即ち、従来例のように、アナログ伝送装置２から監視制御端末８まで、監視制御信号を送信する専用の通信設備を設置する必要がなく、また、監視制御ＩＦをアナログ伝送装置２に実装する必要がないので、設備コストと装置コストを削減することができる。
【図面の簡単な説明】
【００５１】
【図１】この発明の実施の形態１による伝送システムを示す構成図である。
【図２】この発明の実施の形態２による伝送システムを示す構成図である。
【図３】従来の一般的な伝送システムを示す構成図である。
【図４】伝送システムが実際に設置される場所の一例を示す説明図である。
【符号の説明】
【００５２】
１  アンテナ／無線受信モジュール、１ａ  アンテナ、１ｂ  バンドパスフィルタ、１ｃ  アンプ、２  アナログ伝送装置、３  デジタル伝送装置、４  受信端末、５  情報通信系アプリケーション、６  無線系アプリケーション、７  ネットワーク網、８  監視制御端末、１１  電気スプリッタ（電気信号分岐手段）、１２  Ｅ／Ｏ部（第１の電光変換手段）、１３  Ｅ／Ｏ部（第２の電光変換手段）、１４  系切替制御部（光信号伝送手段）、１５  光路切替部（光信号伝送手段）、２１  光カプラ（光信号分岐手段）、２２  ＷＤＭカプラ、２３  光スプリッタ（光信号分配手段）、２４  光カプラ（信号レベル検出手段）、２５，２６  光フィルタ（信号レベル検出手段）、２７  状況判別部（信号レベル検出手段、状況判別手段）、２８  デジタル送受信部、２９  監視制御ＩＦ（判別結果送信手段）、３１  ＷＤＭカプラ、３２  Ｏ／Ｅ部、３３  デジタル送受信部、４１  トーン信号発生部（第１の電光変換手段）、４２  加算部（第１の電光変換手段）、４３  Ｅ／Ｏ部（第１の電光変換手段）、４４  トーン信号発生部（第２の電光変換手段）、４５  加算部（第２の電光変換手段）、４６  Ｅ／Ｏ部（第２の電光変換手段）、５１  光カプラ（光信号分岐手段）、５２  フォトダイオード（信号レベル検出手段）、５３，５４  バンドパスフィルタ（信号レベル検出手段）、５５  状況判別部（信号レベル検出手段、状況判別手段）、１０１  アンテナ／無線受信モジュール、１０２  アナログ伝送装置、１０３  デジタル伝送装置、１０４  受信端末、１０５  情報通信系アプリケーション、１０６  無線系アプリケーション、１０７  ネットワーク網、１０８  監視制御端末、１１１  電気スプリッタ、１１２，１１３  Ｅ／Ｏ部、１１４  系切替制御部、１１５  監視制御ＩＦ、１１６  光路切替部、１２１  ＷＤＭカプラ、１２２  光スプリッタ、１２３  デジタル送受信部、１２４  監視制御ＩＦ、１３１  ＷＤＭカプラ、１３２  Ｏ／Ｅ部、１３３  デジタル送受信部。
【図１】
2010114728.tif 000003
【図２】
2010114728.tif 000004
【図３】
2010114728.tif 000005
【図４】
2010114728.tif 000006